(57)【要約】【課題】  簡素な構成で、平版印刷版を、一枚づつ分離して搬出するすることができる平版印刷版の供給装置を提供する。【解決手段】  少なくとも複数の平版印刷版２０を有する積層状態に束ねられた版束１８から、最上部の平版印刷版２０の表面を摩擦力で引っ張ることにより引き出す搬出手段４２と、搬出手段４２によって引き出された最上部の平版印刷版２０の搬送方向下流側に隣接して配置され、搬送方向上流側から下流側に向けて下から上へと斜めに傾斜する分離用ガイドスロープ１０２が設けられたスロープリードエッジガイド１００と、を有し、搬出手段４２によって引き出された最上部の平版印刷版２０と共に、その下側に重なった平版印刷版２０が搬出されてきた際に、最上部の平版印刷版２０の下側に重なった平版印刷版２０の先端部が分離用ガイドスロープ１０２に制動され、最上部の平版印刷版２０の先端部が分離用ガイドスロープ１０２にガイドさせることによって分離してから搬出する。【選択図】  図５
2006273474.tif 000002
【特許請求の範囲】
【請求項１】
少なくとも複数の平版印刷版を有する積層状態に束ねられた版束から、最上部の前記平版印刷版の表面を摩擦力で引っ張ることにより引き出す搬出手段と、
前記搬出手段によって引き出された前記最上部の前記平版印刷版の搬送方向下流側に隣接して配置され、搬送方向上流側から下流側に向けて下から上へと斜めに傾斜する分離用ガイドスロープが設けられたスロープリードエッジガイドと、を有し、
前記搬出手段によって引き出された最上部の前記平版印刷版と共に、その下側に重なった前記平版印刷版が搬出されてきた際に、最上部の前記平版印刷版の下側に重なった前記平版印刷版の先端部が前記分離用ガイドスロープに制動され、前記最上部の前記平版印刷版の先端部が前記分離用ガイドスロープにガイドされることによって分離されてから搬出されるように構成したことを特徴とする平版印刷版の供給装置。
【請求項２】
前記分離用ガイドスロープを、最大サイズの平版印刷版の横幅以上の幅に形成したことを特徴とする請求項１に記載の平版印刷版の供給装置。
【請求項３】
前記スロープリードエッジガイドを、固定部材に立設した弾性支持ブラケットの自由端部に固着して、弾性的に移動可能に構成したことを特徴とする請求項１又は請求項２に記載の平版印刷版の供給装置。
【請求項４】
前記分離用ガイドスロープの傾斜が、搬送路の平面を基準面として、角度４２°から角度５５°の範囲内の角度に設定されていることを特徴とする請求項１乃至請求項３の何れか１項に記載の平版印刷版の供給装置。
【発明の詳細な説明】
【技術分野】
【０００１】
この発明は、複数の平版印刷版等の平版印刷版を積層して束としたものから、平版印刷版を一枚づつ分離して搬出するための平版印刷版の供給装置に関する。
【背景技術】
【０００２】
一般に、オフセット印刷には、平版印刷版（印刷用プレート）等が利用されている。また、この平版印刷の分野では、コンピュータ等のデジタルデータに基づいてレーザ露光処理をし、自動現像機で感光性平版印刷版上に形成された潜像を顕像に変換する現像処理をして直接印刷版を製版するＣＴＰ（Ｃｏｍｐｕｔｅｒ  ｔｏ  Ｐｌａｔｅ）システムが実用化されている。
【０００３】
このようなＣＴＰシステムに用いられる平版印刷版には、アルミニウム等を用いた支持体の表面に光重合（ラジカル重合）層等の感光層を形成したいわゆる感光性平版印刷版（いわゆるＰＳ版）がある。
【０００４】
このＰＳ版を用いたＣＴＰシステムでは、ＰＳ版の感光層の上に保護用の合紙を重ねさらにＰＳ版を重ね、その感光層の上に保護用の合紙を重ねるといった順番で、ＰＳ版の感光層の上に保護用の合紙を重ねた一組のものを複数組積層した平版印刷版の版束を、ＰＳ版の供給部へセットし、枚葉供給装置によってＰＳ版とこれに重ねられた合紙とを一組づつ分離し、さらに、この合紙を廃棄し、ＰＳ版だけを１枚づつ次の処理工程へと搬出するようにしている。
【０００５】
従来、このようなＣＴＰシステムに用いられる枚葉供給装置には、合紙を専用のローラを転接させて送り出す搬出用の手段で取り除いてから、平版印刷版をバキュームパッドで吸着して持ち上げて移動し、搬送路上へ載置し、バキュームパッドの吸着を解除して送り出す搬出用の手段を用いたものが提案されている（例えば、特許文献１参照。）。
【０００６】
このような従来提案されている枚葉供給装置を利用する場合には、ＰＳ版を取り出すバキュームパッドを用いた搬出用の手段と、合紙を取り出すためのローラを用いた搬出用の手段とが別々に動作するため、合紙を取り出した後でないと次の平版印刷版を取り出す動作を行うことができず、ＰＳ版を一枚づつ供給する動作に時間がかかり、作業の能率が悪く、ＰＳ版と合紙とを搬出するために、別々の搬出用の手段を必要とするために、構成が煩雑となり装置が大型化して高価になるという問題がある。
【０００７】
そこで、搬出用のローラを、ＰＳ版の版束にある最上部となるＰＳ版の表面に転接させて、最上部となるＰＳ版とその下にある合紙とを一組にして搬出する（重送）手段を試みたところ、最上部のＰＳ版及び合紙の組とその下に積み重ねられているＰＳ版及び合紙の組とが真空密着状態となっていて、さらにその下に積み重ねられているＰＳ版及び合紙の組との間に空気が入り込んでいるような状態であると、複数のＰＳ版及び合紙の組が同時に搬出されてしまう（多重送）が発生する虞があることが分かった。
【特許文献１】特開昭６０−２０２０２８号公報
【発明の開示】
【発明が解決しようとする課題】
【０００８】
本発明は上述の事実に鑑み、簡素な構成で、平版印刷版を、一枚づつ分離して搬出するすることができる平版印刷版の供給装置を新たに提供することを目的とする。
【課題を解決するための手段】
【０００９】
本発明の請求項１に記載の平版印刷版の供給装置は、少なくとも複数の平版印刷版を有する積層状態に束ねられた版束から、最上部の平版印刷版の表面を摩擦力で引っ張ることにより引き出す搬出手段と、搬出手段によって引き出された最上部の平版印刷版の搬送方向下流側に隣接して配置され、搬送方向上流側から下流側に向けて下から上へと斜めに傾斜する分離用ガイドスロープが設けられたスロープリードエッジガイドと、を有し、搬出手段によって引き出された最上部の平版印刷版と共に、その下側に重なった平版印刷版が搬出されてきた際に、最上部の平版印刷版の下側に重なった平版印刷版の先端部が分離用ガイドスロープに制動され、最上部の平版印刷版の先端部が分離用ガイドスロープにガイドされることによって分離されてから搬出されるように構成したことを特徴とする。
【００１０】
上述のように構成することにより、搬出され始めた最上部の平版印刷版に密着した下側に重なった平版印刷版が分離用ガイドスロープに当たると、下側に重なった平版印刷版の搬出動作が制動される。さらに、最上部の平版印刷版が搬出されると、最上部の平版印刷版が分離用ガイドスロープに沿って搬送方向先端部が、搬送方向に直交する方向（幅方向）に持ち上がるように弾性変形しながら移動する。すなわち、最上部の平版印刷版と、下側に重なった平版印刷版とが、異なる曲率の曲面状に撓みを生じ、これらの先端部間が口を開けて空気を入り込ませるので、これらの間の真空密着状態が破壊されて両者が分離され、確実に多重送が防止できる。よって、最上部の平版印刷版と、下側に重なった平版印刷版とが、同時に搬出されてジャミングを生じることを良好に抑制できる。
【００１１】
請求項２に記載の発明は、請求項１に記載の平版印刷版の供給装置において、分離用ガイドスロープを、最大サイズの平版印刷版の横幅以上の幅に形成したことを特徴とする。
【００１２】
上述のように構成することにより、請求項1に記載の発明の作用、効果に加えて、最上部の平版印刷版の搬送方向先端部の全幅から速やかに空気が流入して下側に重なった平版印刷版から分離されるので、確実に最上部の平版印刷版だけを搬出できる。
【００１３】
請求項３に記載の発明は、請求項１又は請求項２に記載の平版印刷版の供給装置において、スロープリードエッジガイドを、固定部材に立設した弾性支持ブラケットの自由端部に固着して、弾性的に移動可能に構成したことを特徴とする。
【００１４】
上述のように構成することにより、請求項1又は請求項２に記載の発明の作用、効果に加えて、搬出され始めた最上部の平版印刷版に密着した下側に重なった平版印刷版が分離用ガイドスロープに当たると、弾性支持ブラケットが弾性変形されると共に、下側に重なった平版印刷版の搬出動作が制動される。さらに、最上部の平版印刷版が分離用ガイドスロープにガイドされることにより分離されて搬出されると、最上部の平版印刷版が下側に重なった平版印刷版に摺接しながら搬送されるときの搬送方向に引っ張る摩擦力が解除されるから、搬送方向に撓むように弾性変形している弾性支持ブラケットの弾性復帰力によって搬送方向とは逆方向に押し戻されて、最上部の平版印刷版から完全に離間して切り離すことができる。
【００１５】
請求項４に記載の発明は、請求項1乃至請求項３の何れか1項に記載の平版印刷版の供給装置において、分離用ガイドスロープの傾斜が、搬送路の平面を基準面として、角度４２°から角度５５°の範囲内の角度に設定されていることを特徴とする。
【００１６】
上述のように構成することにより、請求項1乃至請求項３の何れか1項に記載の発明の作用、効果に加えて、分離用ガイドスロープによる、最上部の平版印刷版と下側に重なった平版印刷版との分離動作を確実に行うようにできる。
【発明の効果】
【００１７】
本発明の平版印刷版の供給装置によれば、簡素な構成で、平版印刷版を、一枚づつ分離して搬出するすることができるという効果がある。
【発明を実施するための最良の形態】
【００１８】
本発明の平版印刷版の供給装置に関する実施の形態について、図１乃至図１３により説明する。本実施の形態に係わる平版印刷版の供給装置は、オフセット印刷用の感光性平版印刷版（いわゆるＰＳ版）を記録媒体とし、コンピュータ等のデジタルデータに基づいてレーザ露光処理をし、自動現像機で感光性平版印刷版上に形成された潜像を顕像に変換する現像処理をして直接印刷版を製版するＣＴＰシステムに用いて好適なものである。
【００１９】
図１には、本実施の形態に係る、平版印刷版の供給装置を備えたＣＴＰシステムの概略構成が示されている。このＣＴＰシステムは、台車として構成された平版印刷版の載置部を着脱可能に接続する送給部２００と、この載置部に載置されたＰＳ版である平版印刷版（記録媒体）を１枚づつ分離して供給する枚葉供給装置部２０２と、インナードラム露光装置部２０４と、バッファ装置部２０６と、現像処理装置部２０８とを備える。
【００２０】
このＣＴＰシステムでは、露光処理の対象とする記録媒体として、例えば薄いアルミニウム板である支持体上に感光材料を含有する画像記録層を形成したＰＳ版若しくはフォトポリマー版又は銀塩タイプの感光材料等としての平版印刷版２０を用いることができる。
【００２１】
このＣＴＰシステムでは、図４に示すように、平版印刷版２０の感光面を保護するため、感光面上に合紙２２を重ねて配置するので、平版印刷版２０と合紙２２とを交互に積層し版束１８を構成する。なお、この版束１８は、平版印刷版２０だけを積層状態に束ねて構成しても良い。
【００２２】
図２に示すように、平版印刷版２０を所定複数枚束ねて構成した版束１８は、台車として構成された載置部１４上にセットされる。このＣＴＰシステムでは、版束１８をセットした載置部１４を、送給部２００に接続し、この版束１８から枚葉供給装置部２０２によって平版印刷版２０を１枚づつ分離してインナードラム露光装置２０４へ供給可能に構成する。
【００２３】
図２に示す送給部２００及び枚葉供給装置部２０２の部分に、載置部１４を着脱可能に接続してセットした状態では、版束１８が平版印刷版２０の感光面を上に向けるように配置されており、最上部の平版印刷版２０の感光面を保護する合紙２２を除去した状態とされている。
【００２４】
台車として構成された載置部１４は、車台部２６を備えており、この車台部２６上に、版束１８を載置する台座部が配置されている。車台部２６には、キャスター２８が取り付けられており、載置部１４全体が移動可能に構成されている。
【００２５】
図３に示すように、載置部１４における台座部は、扁平な四角形の載置トレイ３０として構成する。この載置トレイ３０内には、２つの側端ガイド板３２と、１つの後端ガイド板３４とを装着する。側端ガイド板３２は図示しないスライド機構によって矢印Ｗ方向にスライドし、平版印刷版２０のサイズに合わせて版束１８の側面を位置揃えする。後端ガイド板３４は、図示しないスライド機構によって矢印Ｆ方向（及びその反対方向）にスライドし、版束１８の後端を位置揃えする。
【００２６】
図２に示すように、載置部１４には、載置された版束１８の周囲を覆うように構成されたカバー３６を設ける。このカバー３６には、その版束１８の搬送方向下流側部分に、ヒンジ３８で軸着した開閉カバー３６Ａを設け、この開閉カバー３６Ａ部分が送給部２００の内部に挿入されるように接続された際に、図示しない押圧部材によって上方に押圧操作されて跳ね上がり、開扉状態となるように構成する。
【００２７】
図３に示すように、送給部２００の載置部１４を着脱可能に接続してセットする部分には、セットされた載置部１４の上方位置に、平版印刷版２０の幅方向に沿ってホルダー４０を掛け渡す。
【００２８】
このホルダー４０には、版束１８の最上部の平版印刷版２０の表面を摩擦力で引っ張ることにより引き出す搬出手段としての、ゴムローラ製のピックアップローラ４２を、載置部１４に載置された版束１８の上面に転接できるように装着する。
【００２９】
このピックアップローラ４２には、駆動モータ４４の駆動力が無端ベルト４６を介して伝達されて、ピックアップローラ４２が矢印Ｊで示す方向へ順転される。このように順転されたピックアップローラ４２は、平版印刷版２０又は合紙２２に転接することにより、平版印刷版２０又は合紙２２を矢印Ｆで示す送り出し方向へ搬出させる動作を行う。
【００３０】
ホルダー４０は、その幅方向両端を支軸４８に軸着されている。さらに、このホルダー４０には、その一方の端部に隣接して設置された駆動ユニット５０が接続されている。そして、このホルダー４０に接続した駆動ユニット５０は、ホルダー４０を、そのピックアップローラ４２が版束１８上面に所定の圧接力で接触する搬送位置と、版束１８から退避した離間位置との間を移動可能とするよう構成されている。
【００３１】
載置トレイ３０の底部には、載置板５２を、搬送方向上流側端部に図示しないヒンジによって揺動可能に装着する。この載置板５２は、その上に版束１８を載置した状態で、図示しない付勢手段により自由端部側を上方に付勢されることにより、ヒンジに軸支持された部分を中心に揺動し、最上部の平版印刷版２０（又は合紙２２）をピックアップローラ４２に圧接させるように構成されている。
【００３２】
この送給部２００には、載置部１４よりも搬送方向下流に、搬送方向Ｆに所定間隔を空けて２枚のガイドプレート５４、５６を配置する。平版印刷版２０は、これらのガイドプレート５４、５６に支持されつつ搬送される。
【００３３】
図４乃至図７に示すように、載置板５２に載置された版束１８とガイドプレート５４との間の搬送路上には、スロープリードエッジガイド１００を配置する。
【００３４】
このスロープリードエッジガイド１００には、搬送方向上流側から下流側に向けて、下から上へと斜めに傾斜する、所定の角度Ｓ（搬送路の平面を基準面とした角度）に設定された分離用ガイドスロープ１０２を設ける。
【００３５】
すなわち、スロープリードエッジガイド１００は、最大サイズの平版印刷版２０の横幅以上の幅を持つ分離用ガイドスロープ１０２を設けた、例えば断面台形の柱状に形成する。
【００３６】
このスロープリードエッジガイド１００は、最大サイズの平版印刷版２０の幅方向両端部がはみ出さずに分離用ガイドスロープ１０２上を摺動するように、版束１８の搬送方向下流側他部近傍の搬送路上に配置する。
【００３７】
このため、スロープリードエッジガイド１００は、その搬送路に向いた上側端部（分離用ガイドスロープ１０２の上側角稜端部）が、版束１８の最上部にある平版印刷版２０の底面より所定高さ高い位置となるよう配置する。さらに、このスロープリードエッジガイド１００は、少なくとも最上部の第１番目の平版印刷版２０と第２番目の合紙２２と第３番目の平版印刷版２０と第４番目の合紙２２とが同時に搬送路上へ送り出されようとしたときに、これらが分離用ガイドスロープ１０２に当接するようにするため、その分離用ガイドスロープ１０２の下側端部を、第４番目の合紙２２の位置より下となるように構成する。
【００３８】
このように構成したスロープリードエッジガイド１００を設けた枚葉供給装置部２０２では、例えば、載置部１４上に載置された版束１８における最上部の第１番目の平版印刷版２０及び第２番目の合紙２２の組と、第３番目の平版印刷版２０及び第４番目の合紙２２の組との間にある空気が極少で真空に近い密着した状態となっており、さらに第３番目の平版印刷版２０及び第４番目の合紙２２の組と、第５番目の平版印刷版２０及び第６番目の合紙２２の組との間に空気が多く介在して平版印刷版２０と合紙２２との間の摩擦よりも低い摩擦が存在する状態となっている場合に、最上部の第１番目の平版印刷版２０にピックアップローラ４２を転接させて搬出させる動作を行うと、第１番目の平版印刷版２０及び第２番目の合紙２２の組に密着した第３番目の平版印刷版２０及び第４番目の合紙２２の組が、第５番目の平版印刷版２０の上面を滑りながら、同時に搬出され始める。
【００３９】
そして図４に示すように、同時に搬出され始めた第１番目の平版印刷版２０及び第２番目の合紙２２の組に密着した第３番目の平版印刷版２０及び第４番目の合紙２２の組が、分離用ガイドスロープ１０２に当たると、第３番目の平版印刷版２０及び第４番目の合紙２２の組の搬出動作が制動される。
【００４０】
さらに、ピックアップローラ４２によって、最上部の第１番目の平版印刷版２０及び第２番目の合紙２２の組が搬出されると、図５に示すように、最上部の第１番目の平版印刷版２０及び第２番目の合紙２２の組が分離用ガイドスロープ１０２に沿って搬送方向先端部が、搬送方向に直交する方向（幅方向）に全幅に渡って持ち上がるように弾性変形しながら移動する。
【００４１】
すなわち、最上部の第１番目の平版印刷版２０及び第２番目の合紙２２の組と、第３番目の平版印刷版２０及び第４番目の合紙２２の組とが、異なる曲率の曲面状に撓みを生じ、これらの先端部間が口を開けて多くの空気を入り込ませるので、これらの間の真空密着状態が破壊されて両者が分離され、確実に多重送が防止できる。
【００４２】
よって、最上部の第１番目の平版印刷版２０及び第２番目の合紙２２の組と、第３番目の平版印刷版２０及び第４番目の合紙２２の組とが、同時に搬出されてジャミングを生じることを良好に抑制できる。
【００４３】
この状態では、図１２に示すように、最上部の第１番目の平版印刷版２０及び第２番目の合紙２２の組の搬送方向先端部が全幅に渡って第３番目の平版印刷版２０及び第４番目の合紙２２の組から分離するように引き分けられることによって、第２番目の合紙２２と第３番目の平版印刷版２０との間に空気が入り、図６に示すように、最上部の第１番目の平版印刷版２０及び第２番目の合紙２２の組が捌かれて搬出される。
【００４４】
このスロープリードエッジガイド１００に設けた分離用ガイドスロープ１０２は、図１２に示すように最大サイズの平版印刷版２０の全幅に対応して配置されているので、最上部の第１番目の平版印刷版２０及び第２番目の合紙２２の組と、第３番目の平版印刷版２０の表面との間に、搬送方向先端部の全幅から速やかに空気が流入して分離されるから、確実に最上部の第１番目の平版印刷版２０及び第２番目の合紙２２の組だけを搬出できる。
【００４５】
なお、図１３に示す比較例のように、分離用ガイドスロープ１０２を平版印刷版２０の幅方向の一部だけに対応させて構成した場合には、平版印刷版２０の幅方向における分離用ガイドスロープ１０２が摺接しない部分で、第２番目の合紙２２と第３番目の平版印刷版２０の表面との間における密着状態を、空気が流入することによって解消されることが不確実になる虞がある。これに対し、図１２に示すように、分離用ガイドスロープ１０２を最大サイズの平版印刷版２０の全幅に対応して配置した場合には、この第２番目の合紙２２と第３番目の平版印刷版２０の表面との間における密着状態を解消して分離させる動作を確実に行わせることができる。
【００４６】
また最上部の第１番目の平版印刷版２０及び第２番目の合紙２２の組が搬出動作を終えたとき、図７に示すように、第３番目の平版印刷版２０及び第４番目の合紙２２の組は、搬出動作が分離用ガイドスロープ１０２に制動されて留め置かれた状態で待機している。
【００４７】
次に、載置板５２に載置された版束１８とガイドプレート５４との間の搬送路上に配置する、スロープリードエッジガイド１００に関する他の構成例について、図８乃至図１１を参照しながら説明する。
【００４８】
この図８乃至図１１に示すスロープリードエッジガイド１００に関する構成例では、スロープリードエッジガイド１００を、固定部材である枚葉供給装置部２０２の機台１０４に立設した弾性支持ブラケット１０６の自由端部に固着して、弾性的に移動可能に構成する。この弾性支持ブラケット１０６は、例えば、ステンレス製の板厚０．８ｍｍの長板状ばね板材で構成することができる。
【００４９】
このように構成した図８乃至図１１に示すスロープリードエッジガイド１００に関する構成例では、例えば、載置部１４上に載置された版束１８における最上部の第１番目の平版印刷版２０及び第２番目の合紙２２の組と、第３番目の平版印刷版２０及び第４番目の合紙２２の組との間にある空気が極少で真空に近い密着した状態となっており、さらに第３番目の平版印刷版２０及び第４番目の合紙２２の組と、第５番目の平版印刷版２０及び第６番目の合紙２２の組との間に空気が多く介在して平版印刷版２０と合紙２２との間の摩擦よりも低い摩擦が存在する状態となっている場合に、図８に示すように、最上部の第１番目の平版印刷版２０にピックアップローラ４２を転接させて搬出させる動作を行うと、第１番目の平版印刷版２０及び第２番目の合紙２２の組に密着した第３番目の平版印刷版２０及び第４番目の合紙２２の組が、第５番目の平版印刷版２０の上面を滑りながら、同時に搬出され始める。
【００５０】
そして、同時に搬出され始めた第１番目の平版印刷版２０及び第２番目の合紙２２の組に密着した第３番目の平版印刷版２０及び第４番目の合紙２２の組が分離用ガイドスロープ１０２に当たり、弾性支持ブラケット１０６を押して弾性支持ブラケット１０６を撓ませる。図９に示すように、弾性支持ブラケット１０６が所要量撓むと、そのときの弾性変形による反発力を受けて、第３番目の平版印刷版２０及び第４番目の合紙２２の組は、その搬出動作が制動されて停止する。なお、このとき弾性支持ブラケット１０６が撓んで搬送方向に移動する量は、具体的にいうと、例えば、０．４ｍｍから０．７ｍｍ程度である。
【００５１】
さらに、ピックアップローラ４２によって、最上部の第１番目の平版印刷版２０及び第２番目の合紙２２の組が搬出されると、図９に示すように、最上部の第１番目の平版印刷版２０及び第２番目の合紙２２の組が分離用ガイドスロープ１０２に沿って搬送方向先端部が、搬送方向に直交する方向（幅方向）に全幅に渡って持ち上がるように弾性変形しながら移動する。
【００５２】
すなわち、最上部の第１番目の平版印刷版２０及び第２番目の合紙２２の組と、第３番目の平版印刷版２０及び第４番目の合紙２２の組とが、異なる曲率の曲面状に撓みを生じ、これらの先端部間が口を開けて多くの空気を入り込ませるので、これらの間の真空密着状態が破壊されて両者が分離され、確実に多重送が防止できる。
【００５３】
よって、最上部の第１番目の平版印刷版２０及び第２番目の合紙２２の組と、第３番目の平版印刷版２０及び第４番目の合紙２２の組とが、同時に搬出されてジャミングを生じることを良好に抑制できる。
【００５４】
この状態では、図１２に示すように、最上部の第１番目の平版印刷版２０及び第２番目の合紙２２の組の搬送方向先端部が全幅に渡って第３番目の平版印刷版２０及び第４番目の合紙２２の組から分離するように引き分けられることによって、第２番目の合紙２２と第３番目の平版印刷版２０との間に空気が入り、図１０に示すように、最上部の第１番目の平版印刷版２０及び第２番目の合紙２２の組が捌かれて搬出される。
【００５５】
このスロープリードエッジガイド１００に設けた分離用ガイドスロープ１０２は、図１２に示すように最大サイズの平版印刷版２０の全幅に対応して配置されているので、最上部の第１番目の平版印刷版２０及び第２番目の合紙２２の組と、第３番目の平版印刷版２０の表面との間に、搬送方向先端部の全幅から速やかに空気が流入して分離されるから、確実に最上部の第１番目の平版印刷版２０及び第２番目の合紙２２の組だけを搬出できる。
【００５６】
また最上部の第１番目の平版印刷版２０及び第２番目の合紙２２の組が搬出動作を終えたとき、図１１に示すように、ピックアップローラ４２が待機位置まで上昇して最上部の平版印刷版２０から離れるので、第３番目の平版印刷版２０及び第４番目の合紙２２の組は、その上を最上部の第１番目の平版印刷版２０及び第２番目の合紙２２の組が摺接して搬送されるときの搬送方向に引っ張る摩擦力が解除されるから、搬送方向に撓むように弾性変形している弾性支持ブラケット１０６の弾性復帰力によって搬送方向とは逆方向の載置板５２側に押し戻されて、第１番目の平版印刷版２０及び第２番目の合紙２２の組と完全に離間して切り離され、載置板５２上に留め置かれた待機状態となる。
【００５７】
なお、このとき弾性支持ブラケット１０６が弾性復帰して第３番目の平版印刷版２０及び第４番目の合紙２２の組を押し戻す力（ばね力）は、具体的にいうと、例えば、０．６ｋｇから１．０ｋｇ程度である。
【００５８】
次に、このスロープリードエッジガイド１００に設ける分離用ガイドスロープ１０２が適切に機能する角度Ｓを求めるため行った実験について説明する。
【００５９】
この分離用ガイドスロープ１０２の角度Ｓを求める実験では、角度Ｓが異なるように構成した分離用ガイドスロープ１０２を形成したスロープリードエッジガイド１００を用いて、実際に平版印刷版２０及び合紙２２を搬送し、その搬送状態を評価した。
【００６０】
この実験の結果は、下記の表１の如くであった。
【００６１】
【表１】
2006273474.tif 000003
この実験の結果より、角度４０°以下と、角度５７°以上では、それぞれ最上部の第１番目の平版印刷版２０及び第２番目の合紙２２の組だけを分離して搬出することができなかったので、スロープリードエッジガイド１００に設ける適切な分離用ガイドスロープ１０２の角度Ｓは、角度４２°から角度５５°であることが判明した。
【００６２】
また、前述した図４乃至図１１に示すスロープリードエッジガイド１００及びこれに関連する構成は、高い取り付け精度を要求されない簡素なであるから、容易に製造することができるので、廉価な製品を提供できる。
【００６３】
図２及び図３に示すように、このＣＴＰシステムの枚葉供給装置部２０２部分には、スロープリードエッジガイド１００によって分離して搬出された最上部の第１番目の平版印刷版２０及び第２番目の合紙２２の組から合紙２２を取り去るための合紙分離装置５８を、ガイドプレート５４と、ガイドプレート５６との間に配置する。
【００６４】
この合紙分離装置５８は、搬送方向Ｆに沿って順に配置された、搬送ローラユニット６０と、リタードローラユニット６２とを有する。これらはいずれも、図２に示すように、幅方向Ｗに沿って掛け渡された回転可能なシャフト６４と、このシャフト６４に所定間隔をあけて固定された複数のゴムローラ６６とで構成する。
【００６５】
これらのシャフト６４は、駆動モータ６１で回転駆動されるように接続されており、駆動モータ６１の駆動力により、搬送ローラユニット６０のゴムローラ６６が矢印Ｒ１方向に回転（順転）し、リタードローラユニット６２のゴムローラ６６は矢印Ｒ１と逆方向の矢印Ｒ２方向に回転（逆転）するよう構成されている。
【００６６】
またリタードローラユニット６２は、その一端側に設けられた駆動ユニット６８により、搬送中の合紙２２に接触する位置と、合紙２２から離間する位置との間を移動可能に構成する。このリタードローラユニット６２は、接触位置で合紙２２に接触した状態で逆転することにより、合紙２２を平版印刷版２０から分離する。
【００６７】
さらに、リタードローラユニット６２のゴムローラ６６は、搬送ローラユニット６０のゴムローラ６６に接触して、搬送ローラユニット６０のゴムローラ６６との間で合紙２２をニップして搬送するよう構成する。
【００６８】
搬送ローラユニット６０の上方には、ニップローラ７０が幅方向に沿って回転可能に掛け渡されている。ニップローラ７０はその自重によって、搬送ローラユニット６０のゴムローラ６６との間で平版印刷版２０及び合紙２２をニップ可能に接触している。
【００６９】
搬送ローラユニット６０及びリタードローラユニット６２の下方には、それぞれ合紙搬送ローラユニット７２Ａ、７２Ｂが配置されている。合紙搬送ローラユニット７２Ａ、７２Ｂも搬送ローラユニット６０やリタードローラユニット６２と同様にシャフト６４とゴムローラ６６とで構成されており、合紙搬送ローラユニット７２Ａ、７２Ｂのゴムローラ６６間で、合紙２２をニップすることができるようになっている。合紙搬送ローラユニット７２Ａ、７２Ｂのゴムローラ６６の間に合紙２２をニップした状態で回転することで、ニップされた合紙２２を搬送ベルト７４に沿って下方へと搬送するよう構成する。
【００７０】
また、合紙搬送ローラユニット７２Ａ、７２Ｂの下方には、合紙２２を集積する集積箱７６を配置する。
【００７１】
このように構成された合紙分離装置５８では、平版印刷版２０と合紙２２とが搬送されて来ると、搬送ローラユニット６０及びリタードローラユニット６２を回動し、リタードローラユニット６２を上昇させる。そして、リタードローラユニット６２のゴムローラ６６が逆転しつつ合紙２２に接触することで、合紙２２には、搬送ローラユニット６０からの搬送方向の力と、リタードローラユニット６２からの搬送方向と反対方向の力とが作用し、平版印刷版２０から合紙２２を分離する。
【００７２】
そして、合紙２２は、中間部分が折れ曲がった状態で搬送ローラユニット６０とリタードローラユニット６２のゴムローラ６６とに挟持されて下方へ搬送され、集積箱７６に集積される。平版印刷版２０は搬送方向Ｆへさらに搬送され、インナードラム露光装置部２０４へと送られる。
【００７３】
なお、本発明は、上述した実施の形態に限定されるものではなく、本発明の要旨を逸脱しない範囲で、その他種々の構成を取り得ることは勿論である。
【図面の簡単な説明】
【００７４】
【図１】本発明の実施の形態に係る平版印刷版の供給装置を備えた、ＣＴＰシステムの概略斜視図である。
【図２】本発明の実施の形態に係る平版印刷版の供給装置の要部の構成を示す概略説明図である。
【図３】本発明の実施の形態に係る平版印刷版の供給装置の要部の構成を示す概略斜視図である。
【図４】本発明の実施の形態に係る平版印刷版の供給装置の動作原理を説明するため、平版印刷版を引き出し始めた状態を示す要部概略説明図である。
【図５】本発明の実施の形態に係る平版印刷版の供給装置の動作原理を説明するため、重なった平版印刷版を分離し始めた状態を示す要部概略説明図である。
【図６】本発明の実施の形態に係る平版印刷版の供給装置の動作原理を説明するため、重なった平版印刷版を分離し終える状態を示す要部概略説明図である。
【図７】本発明の実施の形態に係る平版印刷版の供給装置の動作原理を説明するため、重なった平版印刷版を分離し終えた状態を示す要部概略説明図である。
【図８】本発明の実施の形態に係る弾性支持ブラケットを備えた平版印刷版の供給装置の動作原理を説明するため、平版印刷版を引き出し始めた状態を示す要部概略説明図である。
【図９】本発明の実施の形態に係る弾性支持ブラケットを備えた平版印刷版の供給装置の動作原理を説明するため、重なった平版印刷版を分離し始めた状態を示す要部概略説明図である。
【図１０】本発明の実施の形態に係る弾性支持ブラケットを備えた平版印刷版の供給装置の動作原理を説明するため、重なった平版印刷版を分離し終える状態を示す要部概略説明図である。
【図１１】本発明の実施の形態に係る弾性支持ブラケットを備えた平版印刷版の供給装置の動作原理を説明するため、重なった平版印刷版を分離し終えた状態を示す要部概略説明図である。
【図１２】本発明の実施の形態に係る平版印刷版の供給装置における最大サイズの平版印刷版の横幅以上の幅を持つ分離用ガイドスロープの動作原理を説明するための要部概略説明図である。
【図１３】本発明の実施の形態に係る平版印刷版の供給装置における分離用ガイドスロープの比較例を示す要部概略説明図である。
【符号の説明】
【００７５】
１４  載置部
１８  版束
２０  平版印刷版
２２  合紙
２６  車台部
４２  ピックアップローラ
５２  載置板
１００      スロープリードエッジガイド
１０２      分離用ガイドスロープ
１０４      機台
１０６      弾性支持ブラケット
２００      送給部
２０２      枚葉供給装置部
２０４      インナードラム露光装置部
２０６      バッファ装置部
２０８      現像処理装置部
【図１】
2006273474.tif 000004
【図２】
2006273474.tif 000005
【図３】
2006273474.tif 000006
【図４】
2006273474.tif 000007
【図５】
2006273474.tif 000008
【図６】
2006273474.tif 000009
【図７】
2006273474.tif 000010
【図８】
2006273474.tif 000011
【図９】
2006273474.tif 000012
【図１０】
2006273474.tif 000013
【図１１】
2006273474.tif 000014
【図１２】
2006273474.tif 000015
【図１３】
2006273474.tif 000016